(57)【要約】【課題】極めて小さい寸法を有するリレーを提案する。【解決手段】リレー（１１）の長さまたは幅に対応するクラッパー形アーマチュア（２１）を備えた電磁駆動装置を有し、そのアーマチュアがコアの方向に延びる駆動アーム（２５）を有し、駆動アームの自由端部が駆動カム（２７）と協働し、複数の接点ペア（１３）を有し、接点ペアがそれぞれ接点ばね（２９）と固定またはばね形状の相手側接点（３１）によって形成され、接点ばね（２９）がコア（２３）の方向へ延びて、駆動端部（４９）によって駆動カム（２７）と強制案内するように係合する。【選択図】図１
2007258171.tif 000002
【特許請求の範囲】
【請求項１】
ハウジング（３５）を有し、前記ハウジングの高さがその幅よりも小さく、かつその幅がその長さよりも小さい、強制案内されるリレー（１１）であって、
・  リレー（１１）の長さまたは幅に対応する電磁駆動装置を有し、前記電磁駆動装置が
−  磁気軟鉄からなる細長いコア（２３）を備えたコイル（１７）と前記コア（２３）の回りに存在する巻線と、
−  クラッパー形アーマチュア（２１）とを有し、
前記巻線がハウジング（３５）の高さを実際に満たす直径を有し、かつ
前記クラッパー形アーマチュア（２１）がコアの方向へ延びる駆動アーム（２５）を有し、前記駆動アームの自由端部が駆動カム（２７）と協働し、
・  それぞれ接点ばね（２９）と固定の、またはばね形状の相手側接点（３１）とによって形成される、複数の接点ペア（１３）を有し、
前記接点ばね（２９）が
−  足（３３）と自由な駆動端部（４９）を有すると共に、その足（３３）と駆動端部（４９）の間に接触ヘッド（４７）を有し、
−  それぞれ足（３３）によって、ハウジング（３５）内でハウジングの、コアの方向に直角となっている側に沿って、互いに隔たった箇所に係止されており、
−  コア（２３）の方向に延び、
−  駆動端部（４９）によって駆動カム（２７）に、強制案内されるように係合し、
・  接点ペア（１３）のためおよび駆動装置（１５）のための接点ピン（４１）を有し、前記接点ピンがハウジング（３５）からハウジングの、幅と長さによって定められる表面に対して直角に突出している、
前記リレーにおいて、
・  アーマチュア（２１）のすぐ隣りに常閉接点が配置されており、その接点ばね（２９）がアーマチュアの各位置において、クラッパー形アーマチュア（２１）の駆動アーム（２５）に対して少なくともほぼ平行に延びており、
・  クラッパー形アーマチュア（２１）と常閉接点（１４）との間の分離壁（６３）が、少なくとも常閉接点の接触ヘッドと駆動カム（２７）の間の領域内で、コイルから最も離れた位置において、クラッパー形アーマチュア（２１）の駆動アーム（２５）に対してほぼ平行に延びている、
リレー。
【請求項２】
ピン（４１）が、リレーの長さと幅に対して直交するグリッド内に位置決めされており、接点ばね（２９）のピン（４１）がリレーの１つの端縁に対して小さい間隔で配置され、相手側接点（３１）のピン（４１）がこの端縁に対してより大きい間隔で配置されており、かつ
隣接する接点ペア（１３、１４）のピン（４１）が、コアの方向に対して直角にそれぞれ７．３から７．７、好ましくは７．４から７．６、特に好ましくは７．５ｍｍの等しい間隔を有していることを特徴とする請求項１に記載のリレー。
【請求項３】
駆動装置に隣接する常閉接点（１４）の固定の相手側接点（３１）が、コイル（１７）から最も離れた位置において、ハウジング（３５）に対して直交する方位からずれて、クラッパー形アーマチュア（２１）の駆動アーム（２５）に対してほぼ平行に回動されていることを特徴とする請求項１または２に記載のリレー。
【請求項４】
リレーの、コイル（１７）に沿って延びる外側と、駆動装置（１５）に隣接する常閉接点（１４）の接点ばね（２９）のピン（４１）との間の、駆動装置のために必要とされる、コア（２３）の方向に対して直角の寸法が、最大で１７．８、好ましくは最大で１７．３、特に好ましくは最大で１７．０ｍｍであることを特徴とする請求項１から３のいずれか１項に記載のリレー。
【請求項５】
高さが最大で１２ｍｍ、好ましくは最大で１１ｍｍであり、コイル（１７）の直径が８から１０ｍｍ、好ましくは８．５から９．５ｍｍであることを特徴とする請求項１から４のいずれか１項に記載のリレー。
【請求項６】
常閉接点（１４）の接点ばね（２９）とこれに隣接する常開接点（１３）の接点ばね（２９）の間において駆動カム（２７）に、これら接点ばねの間の火花距離と沿面距離を延長させるウィング（２８）が形成されていることを特徴とする請求項１から５のいずれか１項に記載のリレー。
【請求項７】
ハウジング（３５）とコア材料が、液晶ポリマーからなり、かつハウジング（３５）が少なくとも駆動装置（１５）の領域において最大で０．７ｍｍの材厚を有し、特にハウジング（３５）の内部のリレーの寸法にとって重要な壁について、最大で０．６ｍｍの材厚を有していることを特徴とする請求項１から６のいずれか１項に記載のリレー。
【請求項８】
常閉接点（１４）の接点ばね（２９）とそれに隣接する常開接点ペア（１３）の接点ばね（２９）が、足（３３）からそのヘッド（４７）へ収斂するように延びていることを特徴とする請求項１から７のいずれか１項に記載のリレー。
【請求項９】
接点ばね（２９）が自由な駆動端部（４９）の領域内で、足（３３）と接触ヘッド（４７）の間よりも小さい横断面を有し、かつ接触ヘッド（４７）を越えて突出し、この細くなった駆動端部（４９）が、たとえば０．３から０．７ｍｍのた撓みばね距離を保証するために、４から７ｍｍ、好ましくは５から６ｍｍの長さを有していることを特徴とする請求項１から８のいずれか１項に記載のリレー。
【請求項１０】
弛緩した接点ばね（２９）の方向の、ハウジング（３５）に対して直交する方位からの偏差が、ハウジング（３５）のブロック（３７）内に形成された、接点ばね（２９）の足（３３）を収容するためのスロット（３９）の方位によって予め定められていることを特徴とする請求項１から９のいずれか１項に記載のリレー。
【請求項１１】
−  ２列の接点ペア（１３）が存在しており、
−  一方の列の接点ペア（１３）の接点ばね（２９）の駆動端部（４９）が、他方の列の接点ばね（２９）の駆動端部（４９）と逆に向けられており、かつ共通の駆動カム（２７）内へ嵌入し、
−  コイル（１７）がハウジングの長さに対応し、
−  クラッパー形アーマチュア（２１）の駆動アーム（２５）が、コイル（１７）の長さのほぼ半分の長さであって、その端部が駆動カム（２７）を操作することを特徴とする請求項１から１０のいずれか１項に記載のリレー。
【請求項１２】
各列が、１つの常閉接点（１４）と２つの他の接点ペア（１３）を有しており、かつ
リレーの長さが最大で５６ｍｍ、好ましくは最大で５４．５ｍｍであり、コイルの長さが少なくとも４０ｍｍで最大で４６ｍｍ、好ましくは少なくとも４２ｍｍで最大で４４ｍｍであることを特徴とする請求項１１に記載のリレー。
【請求項１３】
リレーの幅が最大で３５ｍｍ、好ましくは最大で３４ｍｍであり、接点ばね（２９）の足（３３）とピン（４１）もハウジング（３５）の幅の方向に、互いに対して、それぞれ７．３と７．７ｍｍの間、好ましくは７．４と７．６ｍｍの間にある最小のグリッド間隔を有していることを特徴とする請求項１１または１２のいずれか１項に記載のリレー。
【請求項１４】
接点ペアのためのピン（４１）が、矩形グリッド内に配置されており、接点ばね（２９）の足（３３）におけるピン（４１）がハウジング端縁に配置されており、かつ固定の相手側接点（３１）のためのピン（４１）が、ハウジング（３５）の幅の方向に延びる中心軸に対して対称に配置されており、かつハウジング（３５）の長さの方向に互いに対して少なくとも１２で最大１８ｍｍのグリッド間隔を有しており、好ましくは各列の接点ペア（１３）の接点ばね（２９）と相手側接点（３１）のピン（４１）の間と等しい、２つの列の固定の相手側接点（３１）のピン（４１）の間の間隔を有していることを特徴とする請求項１１から１３のいずれか１項に記載のリレー。
【請求項１５】
２６０と３４０の間、好ましくは３００と３２０の間のＡＷ数および０．４５から０．８５、好ましくは０．５から０．８ワットの出力を特徴とする請求項１１から１４のいずれか１項に記載のリレー。
【請求項１６】
ハウジング（３５）を有し、前記ハウジングがハウジング下側に基板（５７）からリレー（１１）を隔てるためのスタンド足（５３）を有する、請求項１から１５のいずれか１項に記載のリレーにおいて、ハウジング下側の、スタンド足（５３）よりも多く突出する脚柱（５５）を有することを特徴とするリレー。
【請求項１７】
脚柱（５５）が１から１．５ｍｍ突出し、従ってスタンド足（５３）を０．５から１ｍｍ越えて突出することを特徴とする請求項１６に記載のリレー。
【発明の詳細な説明】
【技術分野】
【０００１】
本発明は、電磁駆動装置を有する、強制案内されるリレーに関する。
【背景技術】
【０００２】
強制案内されるリレーは、多数の実施形態が知られている。回路を小型化する方向に常に開発される結果、リレーの開発者は、できるだけ小さい寸法を有するリレーを開発するよう、圧力を受けている。機器制御のための安全回路の１７．５ｍｍ規格ハウジング内へ組み込むために、たとえばリレーの高さは最大で１２ｍｍでなければならない。その上、場合によってはリレーと、リレーを差し込むプリント基板との間に、ＳＭＤ構成部品を収容することができなければならない。この小型化は、リレーの内部の許容誤差領域が減少する結果となる。それによって特に、リレーの内部で電流を流す部品の間の間隔が小さくなり、従ってこれらの部品の間の沿面距離と火花間隔を中間組込み物によって延長しなければならず、接点ばねの寸法と接触ヘッドの引火強さが減少して、接点ばねの調整がますます問題となる。回路経路のための許容誤差が小さいだけでなく、接点ばねと駆動の間の力条件ももはや大きな許容誤差マージンを設けておくことはできない。
【発明の開示】
【発明が解決しようとする課題】
【０００３】
従って本発明の課題は、極めて小さい寸法を有するリレーを提案することである。
【課題を解決するための手段】
【０００４】
この課題は、本発明によれば、請求項１の対象によって解決される。
【０００５】
本発明の他の課題は、３、４、６および場合によっては８の接点ペアを有するリレーを搭載したリレー列を形成することができるようにするための基礎を準備することであって、それらの接点ペアはそれぞれ少なくとも６、好ましくは８または特に１０アンペアの負荷をかけることができ、その高さは接続ピンを越えて最大１２ｍｍ突出し、最大３５ｍｍ幅で５６ｍｍ長さであって、かつ強制案内されるリレーのためのユーロ規格ＥＮ５０２０５を満足させる。この列のリレーにおいて、できるだけ多くの構成部品、特に接点ペアが、同一に形成することができなければならない。他の目的は、リレーができるだけ簡単に調整されることである。
【０００６】
本発明に基づく、強制案内されるリレーは、外側寸法を定めるハウジングを有し、そのハウジングの高さはその幅よりも小さく、かつその幅はその長さよりも小さい。
【０００７】
リレーは、リレーの長さまたは幅に収まる、クラッパー形アーマチュアを備えた電磁駆動装置を有しており、そのクラッパー形アーマチュアがコアの方向に延びる駆動アームを有している。駆動アームは、その自由端部において駆動カムと協働する。リレーは、さらに、それぞれ接点ばねと固定またはばね形状の相手側接点とによって形成される、複数の接点ペアを有している。接点ばねは、コアの方向に延びており、かつその駆動端部において駆動カムと強制案内されて係合する。
【０００８】
このリレーにおいて、アーマチュアのすぐ隣りに配置された接点ペアは、常閉接点であって、その接点ばねがアーマチュアの各位置においてクラッパー形アーマチュアの駆動アームに対して少なくともほぼ平行に延びている。クラッパー形アーマチュアの駆動アームの、能動化され、コイルから離れるように広げられた位置において、クラッパー形アーマチュアと常閉接点との間に存在する分離壁が、少なくとも常閉接点の接触ヘッドと駆動カムの間の領域内で、駆動アームに対してほぼ平行に延びている。
【０００９】
駆動装置は、好ましくは、磁性軟鉄からなる細長いコアを備えたコイルと、コアの回りに存在する巻線を有している。巻線は、ハウジングの高さを実質的に満たす直径を有している。
【００１０】
接点ばねは、好ましくは足と自由な駆動端部および足と駆動端部の間の接触ヘッドを有している。接点ばねは、それぞれ足によってハウジング内のハウジングの、コアの方向に対して垂直に位置する側に沿って互いに隔てられた位置に係止されている。接点ばねは、コアの方向に延び、駆動端部において駆動カムに強制案内されて係合されている。
【００１１】
接点ペアのためと、駆動装置のための接触ピンが、ハウジングの、幅と長さによって定められる表面に対して垂直にハウジングから突出する。
【００１２】
この種の強制案内されるリレーは、一つの実施態様において、リレーの長さに対応する電磁駆動装置を有し、かつ６つの接点ペアを備えると共にその６つの接点ペアと駆動装置のために必要な接触ピンを有している。６つの接点ペアは、それぞれ接点ばねと固定の相手側接点によって形成されている。接点ばねは、足によって、ハウジング内のハウジングの幅に沿って互いに隔てられた位置に係止されている。一方の列に配置されている３つの接点ペアの接点ばねの駆動端部は、第２の列内に配置されている３つの接点ペアの接点ばねの駆動端部とは逆に向けられている。
【００１３】
他の実施態様は、リレーの幅に対応する電磁駆動装置を有し、３つまたは４つの接点ペアおよびその接点ペアと駆動装置のために必要な接触ピンを有している。この実施態様において、接点ペアは、１列だけに配置されている。
【００１４】
この種のリレーによって、極めて小さい寸法を達成でき、ＥＮ５０２０５、そして接点ペア当たり６から１０Ａの容量、特に８Ａの容量を達成できる。リレーの高さは、効果的には最大１２ｍｍ、好ましくは最大１１ｍｍである。さらに下で図を用いて説明する実施態様は、１０．５ｍｍである。コイルの直径は、８から１０ｍｍ、好ましくは８．５から９．５ｍｍである。この実施態様において、コイル直径は約９ｍｍである。
【００１５】
２列のリレーの長さは、効果的には最大５６ｍｍ、好ましくは最大５４．５ｍｍであり、コイルの長さは少なくとも４０で最大４６ｍｍ、好ましくは少なくとも４２で最大４４ｍｍである。２列の実施形態において、ハウジング長さは５３．８ｍｍで、コイル長さは４２．７ｍｍである。
【００１６】
１列の接点ペアのみを有するリレーにおいては、コイルは実際には半分の長さである。コイルとコアの方向における外側寸法およびコイル長さは、２列の接点ペアを有するリレーの場合よりも２４．２ｍｍだけ小さい。
【００１７】
リレーの高さをできるだけ小さくするために、コイルはできるだけ長く形成される。上述した寸法を有するコイルは、６から１０Ａの（実施形態においては８Ａ）の接点の最大電流において、約０．５から０．８ワット（実施形態においては０．７５ワット）の比較的小さい出力消費を有することが、明らかにされている。この出力によって６つの接点ばね（４常開接点と２常閉接点）を操作することができる。もっと小さいリレーにおいては、それに応じて減少された数の接点ペアのために、同様に減少された寸法で十分であって、その場合に出力消費は少しだけ減少させることができる。
【００１８】
駆動装置が適切な特性値を有するようにするために、コアは、約４０Ａ／Ｍの小さい保磁電界強さを有する高価値の材料から形成されている。巻線空間が最大に利用される。ハウジングとコア材料は、液晶ポリマーからなり、少なくとも駆動装置の領域において最大０．７ｍｍの壁厚を有している。特にリレーの寸法にとって重要な、ハウジング内部の壁は、最大０．５ｍｍの壁厚を有している。リレー底は、接点の領域において０．７ｍｍの厚さである。コア材料は、０．４ｍｍの材厚を有している。
【００１９】
６接点リレーの幅または３接点リレーの長さは、好ましくは最大３５ｍｍであり、特に好ましくは最大３４ｍｍである。これによって、接点ばねの足または足に形成された、接点ばねのピンをハウジングの幅の方向に互いに対して最小のグリッド間隔で配置することができる。この間隔は、それぞれ７．３と７．７ｍｍの間、好ましくは７．４と７．６ｍｍの間であり、ある実施態様においては７．５ｍｍである。この間隔が、プリント基板内の、ピンが半田付けされ、あるいは差し込まれる接続箇所の間に、さらに定められた５．５ｍｍの間隔を維持できることを、保証する。４接点のリレーは、３接点のリレーよりもこの種のグリッド間隔だけ長い。
【００２０】
好ましくは接点ペアのためのピンは、矩形グリッド内に配置されている。接点ばねの足におけるピンは、ハウジング端縁に配置されている。固定の相手側接点のピンは、６接点リレーにおいては、ハウジングの幅の方向に延びる中心線に対して対称に配置されている。このピンは、ハウジングの長さの方向に、互いに対して少なくとも１２で最大１８ｍｍのグリッド間隔を有している。固定の相手側接点のピンの間の間隔が、相手側接点および接点の接点ばねのピンの間の間隔と等しい大きさであることが、効果的であって、かつ達成される。
【００２１】
１列のリレーにおいては、固定の相手側接点のピンは接点ばねのピンに対して、２列のリレーの場合と同じ間隔で配置されている。従ってハウジングの端縁から約１０ｍｍないし約１９ｍｍ離れている。
【００２２】
好ましくは、駆動装置に最も近い１つまたは２つの接点ペアは、常閉接点である。常閉接点は、駆動装置から離れるように開放する。他の２から４の接点ペアは、常開接点であって、駆動装置から離れるようにして閉鎖する。常閉接点の固定の相手側接点は、ハウジングに対して直交する方位に対してやや回動して方位づけすることができ、従ってそれと協働する、常閉接点の緊張した接点ばねの接触ヘッドはほぼ平行に載置される。この配置は、特に、以下の利点を有している。この回動された固定の相手側接点が駆動装置に隣接して配置されることによって、固定の相手側接点のこの回動が、駆動装置と第１の接点ペアとの間の間隔を減少させることができる。というのは、クラッパー形アーマチュアの駆動アームによって必要とされる空間やこの空間と常閉接点の間の分離壁が、常閉接点の相手側接点とほぼ等しい傾斜で延びているからである。この減少は、それぞれ固定の相手側接点が接点ばねの足に対してより近くへずらされるほど、それだけ大きくなる。分離壁は、その駆動カム側の端部から相手側接点の接触ヘッドを越えて所望の方向へ延びることができる。これが、ハウジングの、コアの方向に対して垂直に向けられた寸法（２列のリレーにおいては幅、１列のリレーにおいては長さ）を短縮させるために用いられる。
【００２３】
ピンの間隔を最小にすることができるようにするために、駆動装置に最も近い２つの常閉接点ペアの接点ばねとそれに隣接する常開接点ペアの接点ばねは、その足からその頭部へ向かって収斂するように延びている。内部において、隣接する接点ペアの間の点火距離と沿面距離は、底部分と蓋部分の分離壁や駆動カムに設けられる他の障壁によって、必要な長さに延ばすことができる。
【００２４】
２列のリレーにおいては、駆動装置に最も近い接点ばねは、好ましくは対称に配置されている。アーマチュアの側に配置されている接点ばねは、クラッパー形アーマチュアの駆動アームに対して少なくともほぼ平行あるいは特に足から接触ヘッド端部へ向かって発散するように、延びている。これが、ハウジングの幅の短縮に用いられる。これは少なくとも、クラッパー形アーマチュアと接点との間の分離壁もクラッパー形アーマチュアの最大に開かれた駆動アームに対してほぼ平行に向けられている場合に、言えることである。その場合に駆動アームは、クラッパー形アーマチュアが磁石に引き付けられている場合に、最大に開かれる。
【００２５】
通常、この種のリレーにおいて、延ばされた接点ばねの少なくとも１つは、ハウジングに対して直交するように向けられていない。弛緩した接点ばねの、ハウジング高さを有するハウジング外側面に対して直交する方位からの偏差は、ハウジングに形成された、接点ばねの足のための足収容部の方位によって予め定められる。足収容部の調整、すなわち、屈曲されない、伸張された接点ばねとの関連において、ハウジング内に形成されたブロック内のスロットの方向の調整は、ハウジングにおける接点ペアの極めて安価な一般的な調整を、特にリレーの組立て前に、可能にする。調整は、ハウジングの成形型において行われる。
【００２６】
リレーの作業力、常開接点の圧接力と追従距離の長さを最適化することができるようにするために、接点ばねは自由な駆動端部の領域において、足と接触ヘッドとの間よりも小さい横断面を有しており、接触ヘッドを越えて突出する、細くなったこの駆動端部は、４から７ｍｍの長さを有している。この長さと細くなった横断面によって、接触点を超えてこの駆動端部が弾性移動することができる。駆動端部は、好ましくは５から６ｍｍの長さを有している。それによって可能な撓みばね距離は、たとえば０．３から０．７ｍｍである。
【００２７】
従って本発明は、各リレーの各接点ばねは組立て後に調整される必要がある、という考え方を克服しており、組立て後のこの種の調整を省くことができる解決を提案する。従って本発明は、接点ばね、接触ヘッド間の距離、接点ばねの付勢、追従距離、駆動装置と接点ばねパケットの間の力の均衡などの許容誤差領域を減少させて、最適化し、それによってリレーの大きさを最小限に抑えることができる。
【００２８】
この種のリレーは、既知のように、ハウジングとその中に少なくとも１つの調整された接点ペアを有している。接点ペアは、好ましくは少なくとも１つの接点ばねを有しており、その接点ばねの足が、ハウジング内に係止されるようにハウジングのブロック内に形成されたスロット内に差し込まれる。接点ばねは、接触ヘッドを有しており、それが相手側接点の接触ヘッドと協働する。
【００２９】
このリレーは、好ましくは、調整された接点ペアの接点ばねが弛緩した状態で延びているように形成されることを特徴としている。延ばして形成された接点ばねというのは、この文書においては、接触ヘッド端部から接点ばねの足端部へ至る直線が、接点ばねの内側に配置できることを意味している。好ましい接点ばねは、足端部のばね材料を折り畳むことにより足の厚みを二倍にすることを除いて、何ら屈曲または湾曲のない、平面的な部品である。他の例外は、接点ばねの駆動端部にフックが形成されることであって、それが、破断した接点ばねの駆動カムからの抜け落ちを阻止する。その係止部から接触ヘッドまで、あるいは特に接触ヘッドを越えて伸張して形成されたこの種の接点ばねは、極めてわずかな許容誤差で形成することができる。
【００３０】
このリレーは、好ましくはさらに、スロットの方向が次のように、すなわち、接点ばねが常開接点の一部である場合に、リレーの非作動状態において接点ばねの接触ヘッドが相手側接点の接触ヘッドに対して選択された間隔領域内に配置されているように、予め定められていることを特徴としている。リレーは、常開接点および／または常閉接点を有し、かつ好ましくは両方を有している。従ってリレーにおいて代替的に、あるいは付加的に、常閉接点においてスロットの方向によって、緊張された接点ばねの接触ヘッドの、リレーの非作動状態において相手側接点の接触ヘッドに対して圧接される圧接力が、選択された圧力領域内にあるように、予め定められている。その場合に発明的に重要なことは、接点ばねの調整が折曲または湾曲によって行われるのではなく、調整された接点ペアの接点ばねが弛緩された状態において延ばされているが、その足が係止されるスロットの方向が調整されていることである。この種の調整は、ハウジングにおいて、ないしはハウジングの成形型において行うことができる。射出成形部品と伸張された接点ばねは極めて狭い許容誤差で形成することができるので、リレーの組立て後に接点ばねの調整は、もはや必要とされない。従ってこの種のリレーを形成するために、リレーが製造される前に、射出成形型においてスロットの方向が調整される。その代わりに、個々の接点ばねを後から調整する作業は、ほとんど省かれる。しかしそれに対して、調整をコントロールすることが有意義で必要となる場合があり、場合によっては個々の接点ばねを後から調整することができる。接点ばねのどれも後から調整する必要がないようにしようとする場合でも、本発明に基づくリレーは、本発明に従って調整された、少なくとも１つの唯一の接点ばねを有している。好ましくはすべての接点ばねがこのように調整されている。
【００３１】
好ましくは相手側接点は、固定の接点であって、かつ接点ばねではない。固定の相手側接点は、極めて小さい許容誤差でハウジング内へ挿入することができる。しかし、相手側接点をばねとして形成することも、排除されない。相手側接点のこの種の接点ばねも、弛緩した状態において延ばして形成されている。この接点ばねが、ハウジング内に形成されたブロックのスロット内に係止される。それに対して、この接点ばねは、第１の接点ばねとは異なり、ハウジングに形成されたストッパに当接する。スロットは、ストッパに対して、ストッパに当接する接点ばねの圧接力が選択された圧力領域内にあるように、方位付けされている。
【００３２】
リレーの利用者によって、接点ペアのピンが直交したグリッド内に配置されていることが望まれる。これは美的な視点だけではなく、プリント上で沿面および火花距離の維持も容易にする。
【００３３】
ピン配置の直交した方位付けと、スロットの方向の適合を介した接点ペアの調整が同時に達成できるようにするために、場合によってはスロットは、ハウジングに対して直交した方位付けからずらして方位付けされなければならない。
【００３４】
その場合に、ピンの平面が直交して方位付けされず、単にピンの軸のみが直交したグリッド内に配置されることが、甘受される。ピンの平面は、好ましくは伸張された接点ばねの平面に対して平行である。これは、接点ばねのピンが好ましくは接点ばねと一体的に形成されているためである。接点ばねとピンを高伝導性のばね材料の一片から一体的に形成することが、リレーを組立てる場合の手間を減少させ、接点ばねにおける許容誤差を減少させ、かつピンから接点ばねへの移行部における一級の伝導性を保証する。ピンは、好ましくは接点ばねの足に形成されている。
【００３５】
直交した方位からのこのずれは、場合によっては、接点ばねがスロットの方向の適合によって調整されたことのしるしとすることができる。従って、直交した方位からずれたこのスロット方向は、接点ばねがその組込み後に屈曲によって調整されたか否かに関係なく、自立した発明と考えることができる。
【００３６】
接点ばねのばね領域と接点ばねの足との間の移行部は、屈曲する際に発生する、個々の接点ばね間の偏差を回避するために、好ましくは延ばして形成されている。
【００３７】
リレーのハウジング内のスロット内に足によって係止された、接点ペアの接点ばねの方位を調整する方法によって、接点ペアの接触ヘッドの間の間隔が選択された間隔領域内にあり、あるいは接点ペアの接触ヘッド間の圧接力が選択された圧力領域内にあることを、達成しようとしている。この種の方法において、本発明によれば、スロットの方向が正確に調整され、伸張して形成された接点ばねが調整されたスロット内に差し込まれる。スロットを調整するために、スロットが形成されているブロックは、ハウジングに対して回動可能に形成することができる。この場合において、スロットの方向の調整は、調整された方向におけるブロックの回動とハウジングに対するブロックの固定を含んでいる。しかし、この調整が一回だけ実施されれば済むようにするために、好ましくは、スロットの方向を定める射出成形型が適合される。射出成形型において、スロットまたはスロットを有するブロックを含む、部分型を設けることができる。従ってこの部分型のみを適合させれば済む。接点ばねの後からの供給が、たとえば前の供給とは異なるパラメータを有する場合に、この部分型を、接点ばねの新しい供給のために調整された部分型に代えることができる。
【００３８】
その場合にスロットは、大体においてハウジングおよび／または直交するピングリッドに関する直交する方位付けから外れる。しかし、１つのスロットをハウジングないしピングリッドに対して直交するように方位付けすることができる。従ってこのスロットは、通常、ハウジングに対して、０、９０、１８０、２７０度とは異なる角度で方位付けされる。
【００３９】
スロットの方向を用いて接点ペアの調整を行うことができるようにするために、好ましくはスロットへ差し込む前に接点ばねの精度が検査されなければならない。それによって、調整が差し込むべき接点ばねに合っているか、あるいは適合されなければならないか、が検査される。
【００４０】
少なくとも１つの供給内の接点ばねが極めて狭い許容誤差内で同一であるようにするために、接点ばねの足が、好ましくはばね材料を折り畳むことによって形成される。折畳み、すなわち１８０度屈曲することは、極めて一定の成果をもって実施可能であり、それに対して鈍角または鋭角の、より小さい角度だけ屈曲することは、より大きいばらつきをもたらす。折り畳む場合に、接点ばねの伸張された形成は、手を付けられない。接点ばねの足とばね領域の間の移行部も、延ばして形成され、それによって接点ばねを高い精度で形成することができる。
【発明を実施するための最良の形態】
【００４１】
図１、２、８に示すリレー１１は、６つの接点ペア１３を有している。リレー１１内の接点ペア１３の数は接点ペア１３の調節にとって重要ではないが、リレー１１の大きさと使用可能性にとっては非常に重要である。
【００４２】
リレー１１は、さらに、コイル１７、ヨーク１９、クラッパー形アーマチュア２１、破線で示すコア２３を備えた電磁的な駆動装置１５を有している。リレーは、さらにクラッパー形アーマチュア２１の駆動アーム２５と協働する駆動カム２７を有している。
【００４３】
コイル１７は、できるだけ空間を満たすように巻かれる。しかし、コイルは、様々な巻き数を有することができる。それぞれ所望のコイル電圧に応じて、巻き数とワイヤ直径およびそれに伴ってコイル抵抗が適合させられる。しかしその場合に、実際には、コイル力に相当する、ＡＷ数（アンペア＊巻き）は変らない。このＡＷ数は、この実施形態においては、少なくとも３１０ＡＷである。それぞれワイヤ太さに応じてＡＷ数がこの３１０ＡＷを上回ることもできる。コイルが満たされるからである。１対４．６〜５、特に１対４．７〜４．８のコイル比において、かつ３．５〜３．７対１、特に３．６対１のアーマチュア変換比において、この６つの接点ペア１３を操作するために、コイルの十分な力が生じる。次のリストは、可能なコイル設計の小さい選択を示している：
【００４４】
【表１】
2007258171.tif 000003
【００４５】
各接点ペア１３は、接点ばね２９と相手側接点３１を有している。接点ばね２９は、足３３によってハウジング３５内に係止されており、このハウジング３５内には駆動装置１５も収容されている。足３３を係止するために、ハウジング３５内に各足のためのブロック３７が形成され、かつそのブロック３７内にそれぞれスロット３９が形成されている。
【００４６】
相手側接点３１と接点ばね２９は、それぞれピン４１を有している（図６と７参照）。接点ばね２９も相手側接点３１も、このピン４１によってハウジング３５の底４３を貫通している。図２に示すリレー１１の下面図において、ピン４１の直交する配置が示されている。楕円で特徴づけられるピン４１が接点ばね２９の足ピンである。矩形で特徴づけられるピンが固定の相手側接点のピンである。三角形で特徴づけられるピンは駆動装置の接続ピンである。接点ばね２９の足ピンと駆動装置１５の接続ピンが、底４３の互いに対向する２つの幅狭側に沿って列に並べられている。相手側接点の６本のピンは、それぞれ３本が底の幅狭側に対する平行線上にあって、それぞれ２つが接点ばねの互いに対向する２つの足ピンを通る直線上にある。
【００４７】
接点ペア１３のピン間のグリッド間隔は、ハウジングの幅の方向にそれぞれ７．５ｍｍであり、ハウジング３５の長さの方向にそれぞれ１５．８ｍｍである。駆動装置の接続ピンは、ハウジング底４３の、接点ばねの足ピンが設けられていない２つの角部内にあって、接点ペア１３の次のピンから１５．５ｍｍの距離にある。
【００４８】
接点ばね２９は、図５と６に示すように、足３３を有しており、その足は接点ばねの薄板を折り畳むことによって形成されている。ピン４１が、足３３と一体的に形成されており、従ってそのピンは同様に接点ばねの２倍の厚みである。接点ばね２９は、足３３に続いてばね領域４５を有しており、そのばね領域が接触ヘッド４７まで延びている。ばね領域４５は、高伝導性のばね材料からなる最小化された横断面を有している。横断面と材料は、熱伝導性と電気的伝導性に関して、最適化されている。接触ヘッド４７の領域内で、接点ばねはやや拡幅されている。接触ヘッドの上方において、接点ばねはだんだん細くなる横断面を有する延長部の形式の駆動端部４９を有している。駆動端部４９は、ばね領域４５のほとんど半分の大きさの横断面をもつ。駆動端部４９は、さらにフックとして屈曲されており、従って接点ばね２９はばねが破断した場合にも駆動カム２７から抜け落ちることがない。
【００４９】
相手側接点３１は固定の接点部分であって、ハウジング３５内の正確に定められた位置に固定されている。相手側接点３１は、比較的厚い薄板から打ち抜かれた部品であって、それに一体的にピン４１が形成されており（図７）、かつ接触ヘッド４７を有している。接触ヘッドは、すべての接点において、リベットヘッドである。接触ヘッドを固定するために、各接点ばねと相手側接点３１の薄板部分にそれぞれ穴が打ち抜かれており、その穴へリベットヘッドが挿通される。挿通された端部がその後、接触ヘッドを形状嵌めあいと力嵌めあいでリベット止めするために、打ち叩かれる。
【００５０】
図８に示すリレーは、蓋なしで示されている。従ってこのリレー上に蓋が取り付けられて取付けが終了し、その蓋は、駆動装置と接点ペアが配置されている底部分とロックされて、ハウジングを閉ざす。蓋に、リレー名称とリレースペシフィケーションを書き付けることができる。
【００５１】
従って図８には、以下の部品が示されている：
底４３、壁によって形成される、接点ペアと駆動装置のためのチャンバの仕切りと接点ペア１３の接点２９、３１を係止するためのブロック３７、５３を有する底部分５１；
底部分５１内へ挿入された駆動装置１５（そのうちのコイル１７、ヨーク１９、クラッパー形アーマチュア２１が見られる）；
それぞれ弛緩され、伸張された接点ばね２９と固定の相手側接点３１を有する４つの常開接点ペア１３；
それぞれ緊張された接点ばね２９と固定の相手側接点３１を有する２つの常閉接点ペア１３；
駆動カム２７（クラッパー形アーマチュア２１の駆動アーム２５と当接し、かつその中に接点ばね２９の駆動端部が収容されている）。各接点ばねのために、駆動カム内に専用のチャンバが形成されている。
【００５２】
駆動カム２７は、さらに、ウィング２８を有している。これらのウィング２８が、隣接する接点ペア１３の間の沿面距離と特に火花距離を延長している。
【００５３】
図８に示すリレー１１は、蓋なしで５２．４×３２．３×９．９ｍｍである。さらに、図９に示すように、スタンド足５３と蓋が高さに加わる。底部分５１の下側に、０．５ｍｍ突出するスタンド足５３が形成されている。付加的に、リレーは脚柱５５を有している。脚柱５５は、底部分５１の下側のやや円錐状の円錐台または円形円筒状のピンで、１．２ｍｍだけ突出している。このようにスタンド足５３と脚柱５５を形成することは、リレーを基板５７に対して２つの異なる間隔で配置することができる、という利点を有している。リレー底の下にさらにＳＭＤ構成部品を配置することができるようにしようとする場合には、リレーを脚柱５５でセットする（基板５７は破線で示されている）。しかしながら組立て高さをできるだけ小さくしようとする場合には、リレー１１はスタンド足５３で設置する（基板５７は実線で示されている）。リレーをスタンド足で設置することができるようにするために、脚柱は折り取ることができる。しかしながら、より簡単に、基板５７にピン接続のための穴に加えて、脚柱５５のための穴５９も設けられる。
【００５４】
図９に示唆される蓋５９は、リレー１１の底部分５１をぐるっと包囲している。成形材料によってリレー１１をシールするために、蓋５９と底部分５１の間に形成通路６１が一周して形成されている。
【００５５】
本発明に基づくリレーは、図１、２、８におけるように互いに対して対称に形成された２列の接点ペアを有することができるが、１列の接点ペアだけでもよい。図１０と１１には、この種の４接点と３接点のリレーが斜視図で示されている。これらにおいて、コイルの長さとコイルの長さ方向におけるハウジングは、実際には図８に示すリレーに比較して半分にされている。さらに、図１０に示すリレーの長さは、１接点ペアの分だけ延長されている。それによって４接点リレーの長さは、６接点リレーの幅よりも７．５ｍｍだけ長い。
【００５６】
【表２】
2007258171.tif 000004
【００５７】
コイルのコアに対して垂直の寸法は、１列のそれぞれ２つの接点ペアの間の７．５ｍｍと、駆動装置、ハウジングおよび駆動装置と常閉接点との間の間隔のための１８．５ｍｍから構成される。リレーの、駆動装置に沿って延びる外側から、第１のピン（常閉接点の）まで、１６．９ｍｍ必要とされる。最後のピンから対向する外側まで、さらに１．６ｍｍ必要とされる。
【００５８】
他の方向において、接点ペアのピンは、１５．８ｍｍの間隔を有し、接点ばねのピンはリレーの近い端縁まで３．１ｍｍの間隔を有している。固定の接点のピンは、対向する端縁まで１０．５ｍｍの間隔を有している。２列のリレーにおいては、２つの列の固定の接点のピンは、互いに対して１５．８ｍｍの間隔を有している。
【００５９】
これらの寸法は、蓋を含んでおり、蓋は、その蓋が覆う５つの側にそれぞれ０．６ｍｍの嵩を有している。
【００６０】
１列のリレーの場合には、例としてのコイルデータは、次のように示すことができる。コイルの他の設計も、もちろん可能である。コイルは、１８．５ｍｍ長さで、９ｍｍの直径を有し、４接点ペアの場合には２００またはそれより多いＡＷ数が得られるよう努力される。
【００６１】
【表３】
2007258171.tif 000005
【００６２】
事実例寸法
【表４】
2007258171.tif 000006
【図面の簡単な説明】
【００６３】
【図１】３つと３つの互いに対向して配置された接点ペアとハウジングの長手方向に配置された駆動装置とを有する開放されたリレーを図式的に示す上面図である。
【図２】図１に基づくリレーの直交したピン配置を図式的に示している。
【図３】２つの常開スイッチを開放した非作動位置で図式的に示している。
【図４】常開スイッチと常閉スイッチを非作動位置で示している。
【図５】内蔵された足とピンを有する接点ばねを示している。
【図６】図５に示す接点ばねの側面図である。
【図７】固定の接触ヘッドを示している。
【図８】蓋を除去された、本発明に基づくリレーを示す斜視図である。
【図９】プリント基板上に足と脚柱を有するリレーの一部を示している。
【図１０】４つの接点ペアを有する、本発明に基づくリレーを示している。
【図１１】３つの接点ペアを有する、本発明に基づくリレーを示している。
【符号の説明】
【００６４】
１１  リレー、１３  接点ペア、１４  常閉接点ペア、１５  駆動装置、１７  コイル、１９  ヨーク、２１  揺動アーマチュア、２３  コア、２５  揺動アーマチュア２１の駆動アーム、２７  駆動カム、２８  駆動カム２７のウィング、２９  接点ばね、３１  固定の相手側接点、３３  接点ばね２９の足、３５  ハウジング、３７  ブロック、３９  足のためのブロック３７のスロット、４１  接触ピン、４３  ハウジング３５の底、４５  接点ばね２９のばね部分、４７  接触ヘッド、４９  接点ばね２９の駆動端部、５１  ハウジング３５の底部分、５３  スタンド足、５５  脚柱、５７  プリント基板、５９  ハウジング３５の蓋部分
【図１】
2007258171.tif 000007
【図２】
2007258171.tif 000008
【図３】
2007258171.tif 000009
【図４】
2007258171.tif 000010
【図５】
2007258171.tif 000011
【図６】
2007258171.tif 000012
【図７】
2007258171.tif 000013
【図８】
2007258171.tif 000014
【図９】
2007258171.tif 000015
【図１０】
2007258171.tif 000016
【図１１】
2007258171.tif 000017